(57)【要約】【課題】簡素な構造で粘着テープを低い位置で支持できるテープディスペンサーを提供する。【解決手段】筐体２が粘着テープＴ下方の一部の円弧部分を収納可能な円弧状の収納部２５と、該収納部の下面２５１側から突出して設けられる第１従動ローラ６と、収納部の上面２６１側から突出して設けられる第２従動ローラ７と、を有し、粘着テープＴの使用の際に、第１従動ローラ６および第２従動ローラ７が粘着テープＴ内外に当接して粘着テープＴの回転に従動する。【選択図】図５
2013086947.tif 000002
【特許請求の範囲】
【請求項１】
中央に芯材を有する円形状に巻かれた粘着テープを支持する筐体を備え、粘着テープを回転させて引き出し、任意の長さで切断可能な切断手段を有するテープディスペンサーであって、
前記筐体が粘着テープ下方の一部の円弧部分を収納可能な円弧状の収納部と、
該収納部の下面側から突出して設けられる第１従動ローラと、
前記収納部の上面側から突出して設けられる第２従動ローラと、
を有し、粘着テープの使用の際に、前記第１従動ローラおよび第２従動ローラが粘着テープ内外に当接して粘着テープの回転に従動することを特徴とするテープディスペンサー。
【請求項２】
前記第１従動ローラが前記収納部における前記切断手段側に設けられており、前記第２従動ローラがテープの切断手段側と反対側に設けられていることを特徴とする請求項１に記載のテープディスペンサー。
【請求項３】
前記収納部の底面と前記第２従動ローラの外周面との距離が、粘着テープＴおよび芯材の厚みより大きく形成されていることを特徴とする請求項１または２に記載のテープディスペンサー。
【請求項４】
前記筐体の側面より該筐体の内部に設けられた空洞部に重しが挿入可能に形成されていることを特徴とする請求項１ないし３のいずれかに記載のテープディスペンサー。
【発明の詳細な説明】
【技術分野】
【０００１】
本発明は、中央に芯材を有する粘着テープを支持するとともに、該粘着テープを軸方向に回転させて引き出し、所定の長さで切断する際に用いられるテープディスペンサーに関する。
【背景技術】
【０００２】
従来、図８に示すように支持アーム６２に回動自在に取り付けられた回動アーム６３、および基台６１に設けられた受けローラ６４とを備え、支持アーム６２が受けローラ６５ｂを、回動アーム３０が押えローラ２７を有し、ここでは図示しない回転アーム３０に巻回された戻りバネの付勢力により、押えローラ６６が粘着テープＴの芯材６７内面に押圧されるとともに、受けローラ６４、６５が粘着テープＴの外周面に押圧されることで粘着テープＴを支持するようにしたテープディスペンサーがある。
【先行技術文献】
【特許文献】
【０００３】
【特許文献１】特開平１０−１６７５５３号公報（第３頁、第１図）
【発明の概要】
【発明が解決しようとする課題】
【０００４】
しかしながら、特許文献１にあっては、粘着テープＴの支持に際して、粘着テープＴを受けローラ６４、６５および押えローラ６６で押圧して支持するため、支持アーム６２、回動アーム６３および受けローラ６４等の多くの部材が必要となり、構造が複雑になる問題がある。
【０００５】
本発明は、このような問題点に着目してなされたもので、簡素な構造で粘着テープを低い位置で支持できるテープディスペンサーを提供することを目的とする。
【課題を解決するための手段】
【０００６】
前記課題を解決するために、本発明のテープディスペンサーは、
中央に芯材を有する円形状に巻かれた粘着テープを支持する筐体を備え、粘着テープを回転させて引き出し、任意の長さで切断可能な切断手段を有するテープディスペンサーであって、
前記筐体が粘着テープ下方の一部の円弧部分を収納可能な円弧状の収納部と、
該収納部の下面側から突出して設けられる第１従動ローラと、
前記収納部の上面側から突出して設けられる第２従動ローラと、
を有し、粘着テープの使用の際に、前記第１従動ローラおよび第２従動ローラが粘着テープ内外に当接して粘着テープの回転に従動することを特徴としている。
この特徴によれば、粘着テープ下方の一部の円弧部分が支持されるようになっているため、筐体の高さを低くすることができる。また、粘着テープの使用の際に、第１従動ローラおよび第２従動ローラが粘着テープに当接して粘着テープの回転に従動するようになっているため、簡素な構造で粘着テープの安定した支持および粘着テープのスムーズな引き出しを行うことができる。
【０００７】
本発明のテープディスペンサーは、
前記第１従動ローラが前記収納部における前記切断手段側に設けられており、前記第２従動ローラがテープの切断手段側と反対側に設けられていることを特徴としている。
この特徴によれば、粘着テープ端部を引き出して使用する際に、第１従動ローラと粘着テープ外周面との当接点を支点として粘着テープが持ち上がり粘着テープの芯材内周面が第２従動ローラに当接するため、複雑な構造を必要とせずに粘着テープに第１従動ローラおよび第２従動ローラを当接させることができる。
【０００８】
本発明のテープディスペンサーは、
前記収納部の底面と前記第２従動ローラの外周面との距離が、粘着テープＴおよび芯材の厚みより大きく形成されていることを特徴としている。
この特徴によれば、載置面と第２従動ローラとが所定距離離間することで、粘着テープの引き出しの際に粘着テープが持ち上がり、粘着テープ外周面が載置面より離間するとともに粘着テープの芯材内周面が第２従動ローラに当接するため、粘着テープの回転時において載置面との間に生じる摩擦力を無くし、粘着テープの引き出し時における負荷を低減させることができる。
【０００９】
本発明のテープディスペンサーは、
前記筐体の側面より該筐体の内部に設けられた空洞部に重しが挿入可能に形成されていることを特徴としている。
この特徴によれば、筐体に重しを取り付ける際に接着工程を必要としないため、接着剤の経年劣化により生じる重しの剥落を防止することができる。
【図面の簡単な説明】
【００１０】
【図１】実施例１におけるテープディスペンサーを示す分解斜視図である。
【図２】テープディスペンサーを示す別角度から見た分解斜視図である。
【図３】溝部２５を示す斜視図である。
【図４】粘着テープＴが載置面に支持されている様子を示す概略側面図である。
【図５】粘着テープＴの使用時を示す概略側面図である。
【図６】残量の減った粘着テープＴが載置面に支持されている様子を示す概略側面図である。
【図７】残量の減った粘着テープＴの使用時を示す概略側面図である。
【図８】従来技術を示す斜視図である。
【発明を実施するための形態】
【００１１】
本発明に係るテープディスペンサーを実施するための形態を実施例に基づいて以下に説明する。
【実施例１】
【００１２】
実施例１に係るテープディスペンサーにつき、図１から図７を参照して説明する。以下、図４から図７の紙面左側をテープディスペンサーの前方側として説明する。
【００１３】
図１の符号１は、本発明の適用されたテープディスペンサーである。
図１に示されるように、筐体２は主に樹脂により片方の側面に開口を有する中空の箱状に形成されており、円形状に巻かれた粘着テープＴ下方の一部の円弧部を収納可能な円弧状に延びる収納部２５と、粘着テープＴを切断する刃部材２１を取り付け可能なカッター部２０を備えている。また、筐体２内の空洞部には第１従動ローラ６および第２従動ローラ７がシャフト８，９にそれぞれ回動支持されて取り付けられるとともに、溝部２５と第１従動ローラ６および第２従動ローラ７が干渉しない形に成形された金属製の重し５が筐体２内底面に載置され、筐体２の上下内面に設けられた組立凹部２２ａ，２２ｂ，２２ｃ，２２ｄとカバー部材４に突設されたツメ部４３ａ，４３ｂ，４３ｃ，４３ｄがそれぞれ爪嵌合されて筐体２開口が閉塞されるようになっている。
【００１４】
そして図１および図２に示されるように、重し５に設けられた挿通孔５０を挿通するカバー部材４に突設されたネジ受４０と、筐体２に設けられた組立孔１５を挿通する固定ネジ１０とが筐体２内で螺合することでカバー部材４が筐体２に固定されるようになっている。
【００１５】
円形状に巻かれた粘着テープＴは、円弧上に延びる収納部２５と、筐体２の開口とは反対側の側面に設けられたテープカバー３により遊嵌支持されるようになっており、収納部２５は、筐体２内方向に粘着テープＴのテープ幅より少なくとも深く、粘着テープＴの厚みより大きい幅で正面視略半円弧形状に形成されている。
【００１６】
そして図３および図４に示されるように、収納部２５の上面２６１が抜け止め部１４として粘着テープＴを遊嵌保持するようになっており、また溝部底面２５１は粘着テープＴの不使用時に粘着テープ外周面Ｔ１を当接支持できるようになっている。
【００１７】
また図２に示されるように、抜け止め部１４および収納部２５を被覆するテープカバー３が、テープカバー３片面に設けられた組立突片１７が組立孔１５に嵌合されることで粘着テープＴが溝部２５から脱落するのを防止できる。
【００１８】
前述した第１従動ローラ６は、図３および図４に示されるように、溝部底面２５１前側に設けられた切欠き１２を通して溝部２５に一部突出するように設置され、筐体内周面に設けられた支持凹部１１と、カバー部材４における空洞部側に形成されたシャフト受４１とに渡って支持されるシャフト８によって回動支持されている。
【００１９】
また第２従動ローラ７は、図２および図３に示されるように、溝部上面１４１に設けられた切欠き１３を通して溝部２５に一部突出するように設置され、カバー部材４における空洞部側に形成されたシャフト受４２と、抜け止め部１４に穿設された支持孔１６とに渡って支持されるシャフト９によって回動支持されている。
【００２０】
続いて粘着テープＴの引き出し時における本発明のテープディスペンサー１の動作について図４および図５を用いて説明する。
【００２１】
図４に示されるように、粘着テープＴの不使用時に、粘着テープ外周面Ｔ１が載置面である溝部底面２５１に当接支持されているとともに、粘着テープ外周面Ｔ１の一部と第１従動ローラ６が当接点Ｐで当接するようになっており、芯材内周面Ｔ２と第２従動ローラ７とは当接しないようになっている。
【００２２】
また図５に示されるように、粘着テープ端部Ｔ３をカッター部２０方向に引き出して使用する際は、第１従動ローラ６と粘着テープ外周面Ｔ１との当接点Ｐを支点として粘着テープＴ後方が持ち上がり、粘着テープ外周面Ｔ１が溝部底面２５１より離間するとともに芯材内周面Ｔ２が第２従動ローラ７に当接するようになる。そのため、複雑な構造を必要とせずに粘着テープに第１従動ローラおよび第２従動ローラを当接させることができるとともに、粘着テープＴの引き出しに伴う回転に第１従動ローラ６および第２従動ローラ７が粘着テープＴの内外から従動し、粘着Ｔテープの回転がスムーズに行えるようになっている。
【００２３】
また、収納部２５の底面２５１と第２従動ローラ７の外周面との距離が、粘着テープＴおよび芯材の厚みより大きく形成されているため、粘着テープＴの引き出しの際に粘着テープＴが上方に移動可能な持ち上がり代が得られ、粘着テープＴの引き出しの際に粘着テープ外周面Ｔ１を溝部底面２５１より離間させることができる。そのため粘着テープ外周面Ｔ１が溝部底面２５１と干渉せず、粘着テープ外周面Ｔ１と溝部底面２５１との間に摩擦力が生じないため、粘着テープの引き出し時における負荷を低減させることができる。
【００２４】
粘着テープＴの残量が少なくなり厚みが減った際には、粘着テープＴの不使用時において図６に示されるように、粘着テープ外周面Ｔ１の最下部が略半円弧形状の溝部底面２５１の最深部において安定するため、必ずしも粘着テープ外周面Ｔ１が第１従動ローラ６に当接支持されているとは限らず、所定距離離間した状態となるが、粘着テープ端部Ｔ３をカッター部２０方向に引き出す際には、図７に示されるように粘着テープ外周面Ｔ１が第１従動ローラ６に当接し、上述した態様と同じく第１従動ローラ６を支点として粘着テープＴが持ち上がり、粘着テープ外周面Ｔ１が溝部底面２５１より離間するとともに芯材内周面Ｔ２が第２従動ローラ７に当接するようになっているため、第１従動ローラ６および第２従動ローラ７が粘着テープＴの回転に従動し、粘着Ｔテープの回転がスムーズに行うことができる。
【００２５】
以上説明したように、粘着テープ外周面Ｔ１が上方に支持可能に湾曲して形成された溝部底面２５１により支持されるようになっているとともに、粘着テープ端部Ｔ３を引き出して使用する際の粘着テープＴの回転に第１従動ローラ６および第２従動ローラ７が従動するようになっているため、簡素な構造で粘着テープＴの支持および粘着テープＴの引き出しを行うことができる。
【００２６】
また従来のテープディスペンサーにあっては、テープディスペンサー本体に重しを取り付ける際、本体の底面に対し略板状の金属製の重しを接着剤等を利用して固着する場合があり、この場合接着剤の経年劣化により重しの剥落が生じる問題があったが、本発明のテープディスペンサー１は重し５を箱状の筐体内に対し側面より挿入して載置する態様になっているため接着剤を必要とせず、重しの剥落を防止することができる。
【００２７】
また、第１従動ローラ６、第２従動ローラ７、シャフト８，９、重し５からなる内蔵部品の全てが、カバー部材４により閉塞される筐体２の側面に設けられた開口より挿入されることで組み込みを完了するため、最終的な組立工程が簡素化され、生産性を向上することができる。
【００２８】
さらに、従来のテープディスペンサーにあっては、特定の粘着テープにおける芯材内周面と略同一寸法の部材を用いて回動支持するため、芯材内周面の寸法の異なる粘着テープを使用することが困難であったが、本発明のテープディスペンサー１は粘着テープＴの不使用時の際は粘着テープ外周面Ｔ１が溝部底面２５１に載置され、粘着テープＴの使用時のみ第１従動ローラ６および第２従動ローラ７が粘着テープＴの回転に従動するようになっているため、粘着テープにおける芯材内周面の寸法が異なる場合でも使用することができる。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、
載置面の形状は略半円弧形状の面で形成されていなくてもよく、たとえば粘着テープの下方にシャフトを２本渡して粘着テープ外周面を支持するようになっていても良い。また、第２従動ローラ７が粘着テープの芯材内側に配置されていれば、抜け止め部２７は必ずしも必要ではない。
【００３１】
さらに、筐体２を樹脂製の箱状に形成し、内部に重し５を載置する態様をとっているが、本発明はこの限りではなく、たとえば金属製の本体に第１従動ローラ６および第２従動ローラ７およびカッター部を直接取り付けて構成されていてもよい。
【００３２】
また、バネ等の付勢手段を用いて、常に第１従動ローラ６および第２従動ローラ７が粘着テープに当接するような態様であっていてもよい。
【符号の説明】
【００３３】
１                テープディスペンサー
２                筐体
３                テープカバー
４                カバー部材
５                重し
６                第１従動ローラ
７                第２従動ローラ
８，９            シャフト
１０              固定ネジ
１２，１３        切欠き
１４              抜け止め部
２０              カッター部
２５              溝部
１４１            溝部上面
２５１            溝部底面
Ｐ                当接点
Ｔ                粘着テープ
【図１】
2013086947.tif 000003
【図２】
2013086947.tif 000004
【図３】
2013086947.tif 000005
【図４】
2013086947.tif 000006
【図５】
2013086947.tif 000007
【図６】
2013086947.tif 000008
【図７】
2013086947.tif 000009
【図８】
2013086947.tif 000010